(57)【要約】      （修正有）【課題】印刷紙葉類の分納装置をさらに使い勝手がよく、整列積層されている印刷紙葉類を一枚づつ搬送するについて重合をなくし、ジャムをなくし、斜行もないようにし、より精巧に専用のスタッカー（収納室）へ収納させる。【解決手段】ボックス２が枢動され倒立状態となると、右側壁面３は右方下がりのテーパ状とされた仕切り板７に当接重合される。この仕切り板７には前記したスリット孔４、４と連通するスリット孔が形成されており、その重合されたスリット孔４、４を通して偏心ローラ１０、１０が出入して、右側壁面３の内面上に積層されている紙幣Ｂを下から一枚づつ送り出していく構成となっている。ボックス２が枢動され倒立状態となると、その開口は紙幣Ｂのガイド部１１と対向することとなり、積層されている紙幣Ｂの側縁がそのガイド部１１に沿う状態とされる。【選択図】図１
2007164777.tif 000002
【特許請求の範囲】
【請求項１】
ケーシング内の上方寄りに、ランダムに混在させた複数種の印刷紙葉類を整列積層させて収納するボックスを設け、そのボックスの下面一縁を軸支して略９０度枢動可能とし、そのボックスの枢動軸側の側壁面に一以上のスリット孔を形成し、枢動倒立状態で前記側壁面を仕切り板と重合させ、前記スリット孔に偏心ローラを出入させて、前記収納された印刷紙葉類を一枚づつ送り出し、その送り出された印刷紙葉類を搬送路から各種類ごとに専用の収納室へ分納することを特徴とする印刷紙葉類の分納装置。
【請求項２】
前記したボックスは断面略コ字状とした台座上にセットされ、その台座の下面一縁を軸支し、その軸が挿通されたプーリにモータを駆動源とするベルトを掛け回し、枢動可能とするとともに、前記した軸の挿通部に印刷紙葉類の後端押し揃え部材の一端を係合して備えていることを特徴とする請求項１に記載の印刷紙葉類の分納装置。
【請求項３】
前記したスリット孔を形成した側壁面はテーパ状に形成してあることを特徴とする請求項１または請求項２に記載の印刷紙葉類の分納装置。
【請求項４】
前記したボックスはケーシングに対して着脱自在もしくは前記枢動方向に対して直交方向に傾動可能としてあることを特徴とする請求項１、請求項２または請求項３に記載の印刷紙葉類の分納装置。
【請求項５】
前記したボックスの枢動状態でその開口は印刷紙葉類のガイドに臨まされ、そのガイドには平歯車を用いた捌き部材を備えていることを特徴とする請求項１、請求項２、請求項３または請求項４に記載の印刷紙葉類の分納装置。
【請求項６】
前記したガイドの下方位置には整列積層されている印刷紙葉類の積層厚の調整用ネジを備えていることを特徴とする請求項１、請求項２、請求項３、請求項４または請求項５に記載の印刷紙葉類の分納装置。
【請求項７】
前記したボックスの枢動倒立状態で、整列積層されている印刷紙葉類の上面にはプレート状のウェイトが配備されることを特徴とする請求項１、請求項２、請求項３、請求項４、請求項５または請求項６に記載の印刷紙葉類の分納装置。
【請求項８】
前記したボックスの枢動倒立状態で、整列積層されている印刷紙葉類の後端を押し揃える機構を有していることを特徴とする請求項１、請求項２、請求項３、請求項４、請求項５、請求項６または請求項７に記載の印刷紙葉類の分納装置。
【請求項９】
前記した押し揃える機構はプレートの下端をソレノイドで作動させることを特徴とする請求項８に記載の印刷紙葉類の分納装置。
【請求項１０】
前記した搬送路はアッパーガイドとロアガイドより構成され、その搬送路の両サイドには搬送される印刷紙葉類の斜行を矯正する転接ローラが一個以上設けられていることを特徴とする請求項１、請求項２、請求項３、請求項４、請求項５、請求項６、請求項７、請求項８または請求項９に記載の印刷紙葉類の分納装置。
【請求項１１】
前記した転接ローラは裁頭円錐状に形成してあることを特徴とする請求項１０に記載の印刷紙葉類の分納装置。
【請求項１２】
前記した転接ローラの周面には螺溝が形成されていることを特徴とする請求項１０に記載の印刷紙葉類の分納装置。
【請求項１３】
前記したアッパーガイドはオープン可能とするとともに、搬送路に印刷紙葉類を擦る凹凸部を形成してあることを特徴とする請求項１０、請求項１１または請求項１２に記載の印刷紙葉類の分納装置。
【請求項１４】
前記したケーシングにはプリンターを備え、そのプリンターは専用のパーソナルコンピュータに電気的に接続され、そのパーソナルコンピュータはＬＡＮによって遠隔パーソナルコンピュータと接続され、前記プリンターに集積されたデータを受けることができるようにしたことを特徴とする請求項１に記載の印刷紙葉類の分納装置。
【請求項１５】
前記したケーシングにはカウンターと対応するセグメント表示部が設けられ、収容されている各種ごとの枚数及び総計数を表示することとしたことを特徴とする請求項１または請求項１４に記載の印刷紙葉類の分納装置。
【請求項１６】
前記した各種類ごとの専用の収容室への分納作業はステッピングモータとスライダー等の組合せ機構等によることを特徴とする請求項１、請求項１４または請求項１５に記載の印刷紙葉類の分納装置。
【請求項１７】
搬送路におけるセンサーの配列は予定される印刷紙葉類のうち最大幅のものを想定し、一列に１１ポイントのチェックを可能とするよう並設してあることを特徴とする請求項１、請求項１４、請求項１５または請求項１６に記載の印刷紙葉類の分納装置。
【請求項１８】
ケーシングの搬送路と対応する前面を開閉可能とするとともに、ケーシングのいずれか一方の側面も開閉可能とし、印刷紙葉類のジャムの処理を可能としてあることを特徴とする請求項１、請求項１４、請求項１５、請求項１６または請求項１７に記載の印刷紙葉類の分納装置。
【請求項１９】
印刷紙葉類の搬送中に、ジャムが生じた場合には印刷紙葉類を数ｍｍ戻し再送するリトライ機能を有していることを特徴とする請求項１、請求項１４、請求項１５、請求項１６、請求項１７または請求項１８に記載の印刷紙葉類の分納装置。
【請求項２０】
多種の印刷紙葉類を混在させて積層収納させるボックス（ホッパー）の底部に印刷紙葉類の送り出しローラに加え、モータ駆動する補助ローラを備えていることを特徴とする請求項１に記載の印刷紙葉類の分納装置。
【請求項２１】
前記したボックス（ホッパー）の内部に整理用アダプターを着脱自在に備えていることを特徴とする請求項２０に記載の印刷紙葉類の分納装置。
【発明の詳細な説明】
【技術分野】
【０００１】
本発明は印刷紙葉類、特に紙幣の分納装置に関し、より使い勝手がよく、ジャム等をはじめとする故障や誤動作が生じてしまう虞のない印刷紙葉類の分納装置に関する。
【背景技術】
【０００２】
従前、複数種の印刷紙葉類、特に紙幣をランダムに混在させ積層させた状態から一枚づつ送り出し、各種別に仕分け、スタッカー（収納室）に分納するという専門装置は知られていなかった。
【０００３】
そこで、本願発明の発明者は先に、上記した作用を行なうための装置を開発した。該装置はランダム状態となっている印刷紙葉類の投入ボックスが固定され、その底面から一枚づつを送り出し、センサーで種別を検知し、各スタッカー（収納室）へ送り込むシステムとなっている。
【０００４】
この本願発明者の開発した先の印刷紙葉類の分納装置は、紙幣に対応させて、各金種ごとに整然と分納するが、時として積層されている紙幣に生じる静電気や押圧摩擦等により捌きが悪くなり、重合搬送されたり、ジャム（詰まり）、あるいは搬送路における横振れ（斜行）等が発生してしまう虞を有していたものである。
【特許文献１】特願２００５−１８２９４８号出願書類
【発明の開示】
【発明が解決しようとする課題】
【０００５】
本発明が解決しようとする問題点は、本願発明者が先に開発した印刷紙葉類の分納装置をさらに使い勝手がよく、整列積層されている印刷紙葉類を一枚づつ搬送するについて重合をなくし、ジャムをなくし、斜行することもないようにし、より精巧に専用のスタッカー（収納室）へ収納させるという点である。
【課題を解決するための手段】
【０００６】
上記した課題を解決するために、本発明に係る印刷紙葉類の分納装置はケーシング内の上方寄りに、ランダムに混在させた複数種の印刷紙葉類を整列積層させて収納するボックスを設け、そのボックスの下面一縁を軸支して略９０度枢動可能とし、そのボックスの枢動軸側の側壁面に一以上のスリット孔を形成し、枢動倒立状態で前記側壁面を仕切り板と重合させ、前記スリット孔に偏心ローラを出入させて、前記収納された印刷紙葉類を一枚づつ送り出し、その送り出された印刷紙葉類を搬送路から各種類ごとに専用の収納室へ分納することを特徴とし、前記したボックスは断面略コ字状とした台座上にセットされ、その台座の下面一縁を軸支し、その軸が挿通されたプーリにモータを駆動源とするベルトを掛け回し、枢動可能とするとともに、前記した軸の挿通部に印刷紙葉類の後端押し揃え部材の一端を係合して備えていることを特徴とし、前記したスリット孔を形成した側壁面はテーパ状に形成してあることを特徴としている。
【０００７】
また、本発明に係る印刷紙葉類の分納装置は前記したボックスはケーシングに対して着脱自在もしくは前記枢動方向に対して直交方向に傾動可能としてあることを特徴とし、前記したボックスの枢動状態でその開口は印刷紙葉類のガイドに臨まされ、そのガイドには平歯車を用いた捌き部材を備えていることを特徴とし、前記したガイドの下方位置には整列積層されている印刷紙葉類の積層厚の調整用ネジを備えていることを特徴としている。
【０００８】
さらに、本発明に係る印刷紙葉類の分納装置は前記したボックスの枢動倒立状態で、整列積層されている印刷紙葉類の上面にはプレート状のウェイトが配備されることを特徴とし、前記したボックスの枢動倒立状態で、整列積層されている印刷紙葉類の後端を押し揃える機構を有していることを特徴とし、前記した押し揃える機構はプレートの下端をソレノイドで作動させることを特徴としている。
【０００９】
そして、本発明に係る印刷紙葉類の分納装置は前記した搬送路はアッパーガイドとロアガイドより構成され、その搬送路の両サイドには搬送される印刷紙葉類の斜行を矯正する転接ローラが一個以上設けられていることを特徴とし、前記した転接ローラは裁頭円錐状に形成してあることを特徴とし、前記した転接ローラの周面には螺溝が形成されていることを特徴とし、前記したアッパーガイドはオープン可能とするとともに、搬送路に印刷紙葉類を擦る凹凸部を形成してあることを特徴としている。
【００１０】
また、本発明に係る印刷紙葉類の分納装置は前記したケーシングにはプリンターを備え、そのプリンターは専用のパーソナルコンピュータに電気的に接続され、そのパーソナルコンピュータはＬＡＮによって遠隔パーソナルコンピュータと接続され、前記プリンターに集積されたデータを受けることができるようにしたことを特徴とし、前記したケーシングにはカウンターと対応するセグメント表示部が設けられ、収容されている各種ごとの枚数及び総計数を表示することとしたことを特徴とし、前記した各種類ごとの専用の収容室への分納作業はステッピングモータとスライダー等の組合せ機構等によることを特徴とし、搬送路におけるセンサーの配列は予定される印刷紙葉類のうち最大幅のものを想定し、一列に１１ポイントのチェックを可能とするよう並設してあることを特徴とし、ケーシングの搬送路と対応する前面を開閉可能とするとともに、ケーシングのいずれか一方の側面も開閉可能とし、印刷紙葉類のジャムの処理を可能としてあることを特徴とし、印刷紙葉類の搬送中に、ジャムが生じた場合には印刷紙葉類を数ｍｍ戻し再送するリトライ機能を有していることを特徴とし、多種の印刷紙葉類を混在させて積層収納させるボックス（ホッパー）の底部に印刷紙葉類の送り出しローラに加え、モータ駆動する補助ローラを備えていることを特徴とし、前記したボックス（ホッパー）の内部に整理用アダプターを着脱自在に備えていることを特徴としている。
【発明の効果】
【００１１】
本発明に係る印刷紙葉類の分納装置は上記の構成を特徴としている。そのため、ランダムに混在した複数種の印刷紙葉類を積層セットする作業も行ない易くなり、それを一枚づつ送り出すについても重合送りはなくなり、ジャムも解消され、搬送時の斜行も矯正されて、精度の高い作業性を得ることができ、全体として卓上等にも載置可能なコンパクトな製品とすることができる。
【発明を実施するための最良の形態】
【００１２】
図として示す実施例のように構成することで実現した。
【実施例１】
【００１３】
次に、本発明の好ましい実施の例を図面を参照して説明する。図１は本発明を実施した紙幣の分納装置の機構を示す正面図、図２は同じくボックスの斜視図、図３は同じくボックスがセットされる台座を示す斜視図、図４は同じく紙幣の捌き機構を示す図、図５は同じくボックスの引き出し機構を示す図、図６は同じく紙幣の後端を押し揃える機構を示す図、図７は同じく斜視図、図８は同じく紙幣の斜行を矯正する機構を示す図、図９は同じく平面図、図１０は同じく変形例を示す図、図１１は同じく変形例を示す図、図１２は同じく変形例を示す図、図１３は同じく平面図、図１４は本発明を実施した紙幣の分納装置の別の例を示す斜視図、図１５は同じく収納室の斜視図、図１６はパーソナルコンピュータとの接続状態を示す図、図１７は同じくアッパープレートの回動を示す図、図１８は同じくアッパーブラケットの回動機構を示す図、図１９は同じく補助ローラを示す図、図２０は同じく整理用アダプターを示す図である。
【００１４】
これらの図にあって１は紙幣の分納装置のケーシングを示しており、このケーシング１内の上方寄りにはランダムに金種が混在した紙幣束を収納するボックス２が設けられている。紙幣束の収納方向性は縦横は問わないが、その一方面が図において右側壁面３方向に対応するものとされる。
【００１５】
前記したボックス２は通常状態での上面を開口しており、この開口から紙幣束が収納される。その右側壁面３は外方へ拡がるテーパ状とされ、複数のスリット孔４、４が形成されている。また、作業性から前面も開閉自在とすることも可能である。
【００１６】
また、このボックス２の右側下端には支軸の挿通部５が形成されており、ここに挿通される軸ピン６を中心としてボックス２は略９０度枢動可能とされ、倒立状態とされる。この枢動はモータを駆動源とした電動でも、指先による手作業でも可能である。そして、ボックス２が倒立状態とされると、収納されている紙幣束を抑えるため、プレート状のウェイト８がセットされる。さらに、ボックス２は図３として示す断面コ字状とした台座１４上にセットすることも可能である。この台座１４は後端に軸５０を挿通する挿通部５１が形成され、前記軸５０の両端は側壁から突出され、プーリ５２、５２が取り付けられている。このプーリ５２、５２にはモータ５３に連結された軸５４に取り付けられたプーリ５５、５５との間で無端ベルト５６、５６が掛け回され、この無端ベルト５６、５６の作用で台座１４、しいてはボックス２を倒立枢動させることができる。５７は前記挿通部５１に基端を係合された紙幣の後端押し揃え板であり、台座１４の動作と共にボックス２の底面窓孔を介し、紙幣の後端を押し揃える。
【００１７】
このボックス２が枢動され倒立状態となると、右側壁面３は右方下がりのテーパ状とされた仕切り板７に当接重合される。この仕切り板７には前記したスリット孔４、４と連通するスリット孔が形成されており、その重合されたスリット孔４、４を通して偏心ローラ１０、１０が出入して、右側壁面３の内面上に積層されている紙幣Ｂを下から一枚づつ送り出していく構成となっている。
【００１８】
また、ボックス２が枢動され倒立状態となると、その開口は紙幣Ｂのガイド部１１と対向することとなり、積層されている紙幣Ｂの側縁がそのガイド部１１に沿う状態とされる。このガイド部１１はメンテナンス等のため開閉可能となっているが、ケーシング１に対して着脱ネジ１２を用いたり、フレキシブルなプラスチックを用い、単に摘んで撓ませることで開閉できる。
【００１９】
また、前記したガイド部１１からは複数の平歯車１５、１５の一部がボックス２の開口内に臨まされ、その平歯車１５、１５を図において時計方向へ回転させることで積層されている紙幣Ｂの側縁を弾き上げ、紙幣Ｂ、Ｂ間に空気を入れ、整列させることで紙幣Ｂ、Ｂ‥を捌き、静電気や重合摩擦による紙幣Ｂ、Ｂ‥の密着状態をなくし、一枚づつの送り出しを精度よく実行することができるものとしている。
【００２０】
さらに、図中１６は紙幣Ｂの最下部を定める定位置ストッパーであり、１７はその定位置をアジャストする調整ネジを示している。この調整ネジ１７を上昇させることで想像線で示すラインＡの部分あたりまで、紙幣Ｂの最下部位置を変更することができ、偏心ローラ１０による送り出し作業の精度をより高めることができるものとしている。
【００２１】
前記した仕切り板７の突端には紙幣Ｂの送り出しの駆動ローラ１８が臨まされており、その駆動ローラ１８はモータ１９の軸芯に取り付けられたプーリ２０との間で無端ベルト２１が掛け回され、回転駆動するものとされている。偏心ローラ１０によって一枚づつ送り出された紙幣Ｂはこの駆動ローラ１８によって搬送され、特に図示しない駆動ローラ１８の図における右側に備えられる弧状のガイドに沿って巻き付くように送られ、駆動ローラ１８と転接する転接ローラ２２により挟持され、搬送路２３へ送り込まれる。
【００２２】
この搬送路２３は入口近傍に金種を判別する光学系のセンサー２４が設けられ、そこでチェックされた金種ごとと不識別紙幣を、複数に分室されたスタッカー（収納室）２５ａ、２５ｂ、２５ｃのいずれかへ送り入れられるものとなっている。
【００２３】
各スタッカー２５ａ、２５ｂ、２５ｃにはその入口部分に格別に図示しないコイルスプリングで横方向に附勢される押圧板が設けられ、各紙幣はそのコイルスプリングの附勢力に抗するように押圧板へ一枚づつ押し付けられ収納されていくこととなる。この収納機構は特許文献１として示した特願２００５−１８２９４８号出願書類に記載されているように、送り込みローラや搬路の切り替え用ソレノイドが用いられる。また、紙幣Ｂの押圧板への押し付けも前記特許文献１に記載されているようにモータ２６で駆動されるクランク部材２７、２７により摺動するプレート２８、２８を用いてもよく、あるいは縦方向に配置された断面Ｓ字状としたガイドバーの溝に紙幣Ｂを送り込み、その半回転により、紙幣Ｂを放出して前記押圧板へ押し付けていく構成とすることもできる。
【００２４】
また、送り込まれた紙幣Ｂがへたって中央部が膨出し、後続する紙幣Ｂの進入を妨げることのないように側板５８、５８‥の内側を曲成あるいは凹ませておくこともできる。加えて、クランク部材２７は単一として全てのプレート２８、２８を同期して作動させる構成とすることもできる。
【００２５】
また、図中３１は電源、３２はプリンターを示し、図１における手前側に設けられ、開閉自在とされるフロントパネル（図示せず）には、前記したスタッカー２５ａ、２５ｂ、２５ｃにおける紙幣の収納状況等を示す表示部が形成される。尚、本実施例にあってスタッカー２５ａには一万円札、２５ｃには頻度の多い千円札、２５ｂには五千円札及び二千円札が相対方向から収納されることを想定している。これは、個別の収納や判定不能な紙幣を別途収納する構成とすることもできる。スタッカーを４室として前記したようにそこに介在するプレート２８、２８を単一のクランク部材２７で同期して作動させ、判定不能な紙幣は二千円札用スタッカーへ送り込む構成とすることもできる。
【００２６】
そして、前記したボックス２はフロントパネルを開け、カセットタイプとして自在にケーシング１から分離させて取り出し、紙幣束を収納して再度装着するようにすることもでき、ガイドレール３３、３３を利用して手前に引き出し、紙幣束を収納し、再度押し戻しコネクタ３４に装着するような構成とすることもできる。
【００２７】
また、ボックス２の底面部内側あるいは底面に形成した透孔を出入可能として、収納される紙幣Ｂの後端を押し揃える押しプレート部材３５を設けるとボックス２内における紙幣Ｂを整然とした状態に保持することができる。この押しプレート部材３５は上端縁を枢支あるいは全体としてのバネ性を利用して枢動させたり、全体をスライド往復動させることで前記作用を実施することができる。
【００２８】
例えば図７として示すように、押しプレート部材３５の下端にソレノイド３６の軸ピン３６ａの先端を連結させ、その軸ピン３６ａの出入動作により押しプレート部材３５を枢動させる機構等が考察できる。そして、押しプレート部材３５も平板に限らず図８に示すような櫛歯形状のもの、ポール状のものとすることも可能となる。尚、図７における３７は駆動ローラ１８と転接して紙幣Ｂを挟持し送り出す送りローラを示し、３７ａは紙幣Ｂの重なりを捌く静止ローラである。
【００２９】
さらに、前記した搬送路２３はアッパーガイド３８とロアガイド３９及び両サイドガイド４０とより構成される。この両サイドガイド４０に複数の窓孔４１、４１‥を設け、その窓孔４１、４１より搬送路２３内に円筒状をした回転体４２の一部が臨まされるように備えられている。
【００３０】
この回転体４２はその中心にバネ性を保有する軸４３が挿通され、その軸４３はホルダー４４に支持され、そのホルダー４４はサイドガイド４０の外壁面に固設された形態とされている。また、回転体４２の上下端にはアッパーガイド３８、ロアガイド３９の外側へ一部が位置されるフランジ４５、４５が設けられ、軸４３にはＥリング４６が嵌め付けられ回転体４２の落下を抑止している。
【００３１】
係る回転体４２、４２‥を搬送路２３の両サイドに配置することで、紙幣Ｂはその側縁を回転体４２、４２‥に当接させながら進行させることとなり、これによって紙幣Ｂの斜行が矯正されることになる。又、回転体４２はバネ性を保有する軸４３で軸支されており、そのバネ性の強度は紙幣Ｂがタッチすると即時に弾かれ逃げる程度のものとしてあり、紙幣Ｂの進行に抗うことはないものとする。また、ターン数を多くすると紙幣Ｂとのタッチを微妙として斜行の矯正を行なうことができる。
【００３２】
また、上記した回転体４２を図１１、図１２に示す回転体４２ａ、４２ｂのように裁頭円錐状に変形応用することで紙幣Ｂの搬送路２３内における紙幣Ｂの上昇、下降を制御することができるようになる。即ち、図１１のように、回転体４２ａの下方を細径とした場合、その回転体４２ａに接した紙幣Ｂは下方へ誘導され、逆に図１２のように回転体４２ｂの上方を細径とすると、その回転体４２ｂに接した紙幣Ｂは上方へ誘導されることとなり、かかる構成で搬送路２３内で高低差を自由に使っての紙幣Ｂの搬送を可能とできる。
【００３３】
この搬送路２３内で進行する紙幣Ｂの上昇、下降を制御するについては図１３、図１４として示すように回転体４２ｃの外周面にスクリュー溝４７を形成する構成とすることもできる。このスクリュー溝４７の形成方向によって回転体４２ｃと接した紙幣Ｂはその側縁がスクリュー溝４７に入ることで上昇もしくは下降方向へと誘導されることとなる。そして、アッパーガイド３８をオープン可能とし、搬送路２３内に紙幣Ｂを擦る凹凸部５９を任意に形成すると、より一層ジャムが生じる虞がなくなることとなる。
【００３４】
一方、図１４として示すのは別の実施例による紙幣の分納装置（整理機）であり、この実施例にあってはケーシング１の右上方角がオープン可能となり、混在された紙幣束がセットされるセット部２ａとなっている。このケーシング１の前面上方には各金種ごと及びその総合計枚数が表示されるセグメント表示部６０が設けられている。また、この実施例にあって前面の右下部分にプリンター３２が設けられ、前面扉６１が特に、スタッカー２５ａ、２５ｂ、２５ｃ及び二千円札、不明札の収納部２５ｄ、２５ｅと対応し、このスタッカー部２５を前方へ引き出すことも可能としている。
【００３５】
このスタッカー部２５は前端縁にバネ性を有する爪片６２、６２‥が形成され、ケーシング１内の所用部位に密に嵌着セットされるものとなっている。また、ケーシング１のスタッカー部２５と対応する右側面を開閉するようにすることも可能で、ジャムが生じた時に、この右側面から手を挿し入れ解消するようにすることも可能である。
【００３６】
また、前記したプリンター３２は、そこに出力されるデータを専用のパーソナルコンピュータ６３と接続して、このパーソナルコンピュータ６３へ送信し、この専用のパーソナルコンピュータ６３は一台もしくは複数台の遠隔パーソナルコンピュータ６４とＬＡＮによって接続され、そこにデータを送信する。このネットワークシステムによって、現場にあるプリンター３２におけるデータが例えば本部設置のコンピュータへ送ることができるようになる。尚、このデータ送信はある程度まとまった状態で送るパッチ機能を付加することも勿論可能である。
【００３７】
また、この実施例における搬路２３はアッパーガイド３８及びロアガイド３９によって構成され、少なくともアッパーガイド３８には紙幣の搬路用の搬送ローラ６５、６５‥が一定間隔を置いて並設されているもので、アッパーガイド３８はこの搬送ローラ６５、６５‥ごと一体的に枢動されて持ち上げ可能とされ、ジャムを生じた紙幣を簡単に除去することができるものとなっている。
【００３８】
さらに、図１８はアッパーブラケット（アッパーガイド）６６の開閉に関するもので、アッパーブラケット６６の遊端部にホルダー６７を一体的に備えており、基端には係合ピン６８を備えている。この係合ピン６８はロアブラケット（ロアガイド）６９の基端部分に形成された長孔７０に係合されており、開口させる時にはホルダー６７を持って手前に引き、即ち、長孔７０内で係合ピン６８を手前にスライドさせ、支点を移動させてホルダー６７を上方へ上げ、その状態でジャム状態の紙幣を取り除くこととなる。閉じる場合には、上記と逆の手順でまずホルダー６７を下げ、係合ピン６８を長孔７０に沿って奥方へ移動させることとなる。
【００３９】
さらに、図１９として示すのはセット部２ａ（ボックス２あるいはホッパー）の底面にあって、積層されている紙幣を一枚づつ送り出す偏心ローラ１０、１０及びその前端部に駆動ローラ１８、１８を備えるほかに、モータ付の補助ローラ７１、７１を設置した構成である。この補助ローラ７１、７１は積層されている紙幣の斜行、重送を防止するためのもので、これを設ける事により、駆動ローラ１８、１８と、主として重ね送りを防止するワンウェイクラッチローラ（静止ローラ）との間に紙幣を一枚づつ正確に直角に送り出すことができることとなる。
【００４０】
また、このセット部２ａ（ボックス２あるいはホッパー）に対してアダプター７２をセットとして使用することも可能としている。このアダプター７２は偏心ローラ１０、１０を出入させる切り欠き７３、７３を有しており、そこに多種混在する紙幣を整理して積み上げることができるもので、セット部２ａからは着脱自在とされ、机上にあっても紙幣をこのアダプター７２に積層し、その状態でセット部２ａへ配備することができる。これによって、セット部２ａに対し、混在紙幣を揃えて並べる困難さや煩わしさが解消できることとなる。
【００４１】
なお、紙幣Ｂを各スタッカー２５ａ、２５ｂ、２５ｃに振り分け分納する手段としては前記したクランク部材２７に代え、ステッピングモータとスライダー等の組合せ機構等を用いることも可能となる。
【００４２】
さらに、プリンター３２やジャムの解消に関し、リトライ機能を保有させることもできる。プリンター３２に関し、このリトライは数字チェック（確認）のために用いられ、ジャムの解消に関しては一旦搬送を停止させ、紙幣Ｂを数ｍｍ戻し、再送を開始することとなる。
【００４３】
そして、スタッカー部２５は複数のスタッカーを各々独立状態に分割構成とすると、各金種ごとに取り出し等の作業が行なえ、より効率的とできるものとなりメンテナンスもより行ない易いものとされる。
【産業上の利用可能性】
【００４４】
本実施例は上記のように構成されている。本実施例は分納する対象を紙幣Ｂとしたが、これにこだわらず商品券、チケット類等多様な印刷紙葉類の分納装置として応用することができる。
【図面の簡単な説明】
【００４５】
【図１】本発明を実施した紙幣の分納装置の機構を示す正面図である。
【図２】ボックスの斜視図である。
【図３】ボックスがセットされる台座を示す斜視図である。
【図４】紙幣の捌き機構を示す図である。
【図５】ボックスの引き出し機構を示す図である。
【図６】紙幣の後端を押し揃える機構を示す図である。
【図７】斜視図である。
【図８】紙幣の斜行を矯正する機構を示す図である。
【図９】平面図である。
【図１０】変形例を示す図である。
【図１１】変形例を示す図である。
【図１２】変形例を示す図である。
【図１３】平面図である。
【図１４】本発明を実施した紙幣の分納装置の別の例を示す斜視図である。
【図１５】収納室の斜視図である。
【図１６】パーソナルコンピュータとの接続状態を示す図である。
【図１７】アッパープレートの回動を示す図である。
【図１８】アッパーブラケットの回動機構を示す図である。
【図１９】補助ローラを示す図である。
【図２０】整理用アダプターを示す図である。
【符号の説明】
【００４６】
１      ケーシング
２      ボックス
２ａ    セット部
３      右側壁面
４      スリット孔
５      挿通部
６      軸ピン
７      仕切り板
８      ウェイト
１０    偏心ローラ
１１    ガイド部
１２    着脱ネジ
１４    台座
１５    平歯車
１６    定位置ストッパー
１７    調整ネジ
１８    駆動ローラ
１９    モータ
２０    プーリ
２１    無端ベルト
２２    転接ローラ
２３    搬送路
２４    センサー
２５    スタッカー部
２５ａ  スタッカー
２５ｂ  スタッカー
２５ｃ  スタッカー
２６    モータ
２７    クランク部材
２８    プレート
３１    電源
３２    プリンター
３３    ガイドレール
３４    コネクタ
３５    押しプレート部材
３６    ソレノイド
３６ａ  軸ピン
３７    送りローラ
３８    アッパーガイド
３９    ロアガイド
４０    サイドガイド
４１    窓孔
４２    回転体
４２ａ  回転体
４２ｂ  回転体
４２ｃ  回転体
４３    軸
４４    ホルダー
４５    フランジ
４６    Ｅリング
４７    スクリュー溝
５０    軸
５１    挿通部
５２    プーリ
５３    モータ
５４    軸
５５    プーリ
５６    ベルト
５７    押し揃え板
５８    側板
５９    凹凸部
６０    セグメント表示部
６１    前面扉
６２    爪片
６３    専用のパーソナルコンピュータ
６４    遠隔パーソナルコンピュータ
６５    搬送ローラ
６６    アッパーブラケット
６７    ホルダー
６８    係合ピン
６９    ロアブラケット
７０    長孔
７１    補助ローラ
７２    アダプター
７３    切り欠き
Ｂ      紙幣
【図１】
2007164777.tif 000003
【図２】
2007164777.tif 000004
【図３】
2007164777.tif 000005
【図４】
2007164777.tif 000006
【図５】
2007164777.tif 000007
【図６】
2007164777.tif 000008
【図７】
2007164777.tif 000009
【図８】
2007164777.tif 000010
【図９】
2007164777.tif 000011
【図１０】
2007164777.tif 000012
【図１１】
2007164777.tif 000013
【図１２】
2007164777.tif 000014
【図１３】
2007164777.tif 000015
【図１４】
2007164777.tif 000016
【図１５】
2007164777.tif 000017
【図１６】
2007164777.tif 000018
【図１７】
2007164777.tif 000019
【図１８】
2007164777.tif 000020
【図１９】
2007164777.tif 000021
【図２０】
2007164777.tif 000022